(57)【要約】【課題】【解決手段】例えば３つの層（２、３、４）を有するペーパータオル（１）では２つの外側の層（３、４）にはエンボス加工（６）が成され、内側の層（２）にはプリント（５）が成されている。層（２、３、４）は少なくとも部分的に透明で、バインダー（９）のような有色接着剤によって互いに接着されている。
2004521723.tif 000002
【特許請求の範囲】
【請求項１】
少なくとも２つの層（２、３、４）を有し、このうち少なくとも１つの層（３、４）にはエンボス加工（６）が成され、少なくとも１つの層（２）の少なくとも一部にはプリントが成されているペーパータオルにおいて、前記少なくとも１つの層（２、３）は、少なくとも部分的に透明であり、また、複数の層（２、３、４）は互いに接着されていることを特徴とするペーパータオル。
【請求項２】
前記複数の層（２、３、４）は、これら層（２、３、４）を接合させる過程で与えられたバインダー（９）によって互いに接着されている、請求項１のペーパータオル。
【請求項３】
３つの層（２、３、４）を有する、請求項１もしくは２のペーパータオル。
【請求項４】
前記層の少なくとも２つ（３、４）には、エンボス加工が成されている、請求項１乃至３のいずれか１のペーパータオル。
【請求項５】
前記プリント（５、５’）は、ペーパータオル内に位置された少なくとも一側面に成されている、請求項１乃至４のいずれか１のペーパータオル。
【請求項６】
前記プリント（５、５’）は、外側の層（２、３）の、ペーパータオルのもう一方の層（３、２）に面した一側面に成されている、請求項１乃至５のいずれか１のペーパータオル。
【請求項７】
前記プリントは、層の外側の一側面に成されている、請求項１乃至４のいずれか１のペーパータオル。
【請求項８】
３つ以上の層（２、３、４）を有し、プリント（５）は、内側の層（２）の少なくとも一側面上に成されている、請求項１乃至６のいずれか１のペーパータオル。
【請求項９】
少なくとも１つの層（２、３、４）は、少なくとも部分に着色されている、請求項１乃至８のいずれか１のペーパータオル。
【請求項１０】
前記バインダー（９）は、接着剤である、請求項２乃至９のいずれか１のペーパータオル。
【請求項１１】
前記バインダー（９）は、任意で接着剤などが加えられたプリントインクである、請求項２乃至９のいずれか１のペーパータオル。
【請求項１２】
前記バインダー（９）は、有色である、請求項２乃至１０のいずれか１のペーパータオル。
【請求項１３】
前記バインダー（９）は、無色である、請求項２乃至１０のいずれか１のペーパータオル。
【請求項１４】
前記エンボス加工（６）は、層（３、４）の全面に渡って一定のパターンを有する、請求項１乃至１３のいずれか１のペーパータオル。
【請求項１５】
前記エンボス加工（６）は、層の異なる面領域ごとに異なるパターンを有する、請求項１乃至１３のいずれか１のペーパータオル。
【請求項１６】
前記エンボス加工（６）は、柄パターンを有する、請求項１乃至１５のいずれか１のペーパータオル。
【請求項１７】
２つもしくは任意のそれ以上の層（３、４）は、エンボス加工（６）を有し、複数の異なる層（３、４）のエンボス加工（６）は同じである、請求項１乃至１６のいずれか１のペーパータオル。
【請求項１８】
前記複数の層（３、４）のエンボス加工（６）の向きが夫々異なっている、請求項１７のペーパータオル。
【請求項１９】
２つもしくは任意のそれ以上の層（３、４）は、エンボス加工（６）を有し、これら複数の層（３、４）のエンボス加工（６）は互いに異なっている、請求項１乃至１８のいずれか１のペーパータオル。
【請求項２０】
前記バインダー（９）の色と、プリント（５’）の色とは、異なっている、請求項２乃至１９のいずれか１のペーパータオル。
【請求項２１】
前記与えられるバインダー（９）の厚さは、異なる面領域において夫々異なるサイズを有する、請求項２乃至２０のいずれか１のペーパータオル。
【請求項２２】
前記バインダー（９）は、例えばストリップの形状をした複数の異なる部分的な領域にのみ与えられる、請求項２乃至２１のペーパータオル。
【請求項２３】
前記少なくとも１つの層（２、３、４）は、全体的もしくは部分的にプラスチックでできている、請求項１乃至２２のいずれか１のペーパータオル。
【発明の詳細な説明】
【０００１】
【発明の属する技術分野】
本発明は、少なくとも２つの層を有し、このうち少なくとも１つの層にはエンボス加工が成され、少なくとも１つの層の少なくとも一部にはプリントが成されているペーパータオルに関する。
【０００２】
【従来の技術】
本発明の範囲内で、ペーパータオルは、例えばナプキン、台所用のロールペーパータオル（ｒｏｌｌｅｄ ｐａｐｅｒ ｔｏｗｅｌ）、トイレットペーパー、化粧用拭き取り繊維（ｃｏｓｍｅｔｉｃ ｗｉｐｅ）、ティッシュ、テーブルセット（ｔａｂｌｅ ｓｅｔ）、テーブルクロス、よだれかけ（ｂｉｂ）、及び、セルロースを有するかパルプでできているが、プラスチックもしくは他の材料の層あるいはコーティングを有することができる保護用物品などである。また、この特別品（ｓｐｅｃｉａｌｔｙ）の最初の材料（ｉｎｉｔｉａｌ ｍａｔｅｒｉａｌｓ）が、“ティッシュ（ｔｉｓｓｕｅ）”と呼ばれている。
【０００３】
【発明が解決しようとする課題】
本発明の目的は、視覚的な外観が公知のペーパータオルと異なるが、更に柔らかく快適な感触と、使用時に容易に裂けたり分解したりせずに充分な吸収性を有する１つのペーパータオルを可能にすることである。
【０００４】
【課題を解決するための手段】
この目的は、請求項１の特徴を有するペーパータオルによって果たされる。
【０００５】
本発明は、少なくとも部分的に透明な層を通すとプリントもしくはエンボス加工の外形がそれほどはっきりと（ｓｈａｒｐ）見えないことから、この少なくとも１つの少なくとも部分的に透明な層によってプリント像が“より柔らかく”もしくは“薄くされた”外観を有するように、更に、プリント像が凸部及び凹部もしくはこれらの領域によって見る人の目に様々に認知されることから、プリント像の外観の付加的な変化がエンボス加工によって果たされるように基本的に形成されている、ペーパータオルに施されたプリントの新規の見栄え（ａｐｐｅａｒａｎｃｅ）を可能にする、組み合わせて利用される（ｊｏｉｎｔｌｙ ａｐｐｌｉｅｄ）公知の特徴の組合せによって成る。特に、斜めに見られているか、光が斜めに入射されているときに、“影の効果（ｓｈａｄｏｗ ｅｆｆｅｃｔ）”が果たされる（ｆｏｒｍ）。プリント像とエンボス加工のパターンとの適当な組合せ、もしくは、プリント像の向きと互いに対するエンボス加工のパターンの向きとによって、例えば織物の外観に類似した視覚的な印象が、最終的に得られる。
【０００６】
少なくとも１つの層が少なくとも部分的に透明であるという限定は、１つの層が一色を基礎とし、及びプリント像が相当に薄くされた状態でも前記層を通して目立つように材料の特性と厚さとが規定されている本発明の範囲内で理解されるべきである。
【０００７】
ペーパータオル上のプリントは、例えば花などの柄パターン（ｆｉｇｕｒｅｄ ｐａｔｔｅｒｎ）もしくは線、ばつ、矩形、三角形、毛細血管状の線などの幾何学的形状など多様なパターンを有することができるが、これらパターンの組合せを有することはできない。
【０００８】
複数の層の互いに対する永久的な接続は、これら複数の層が、これら層を接合する過程で与えられるバインダーにより互いに接着されるように成され得る。このバインダーは、例えば、プリントもしくはエンボス加工ローラー内の複数の層を接合する直前に（複数の）層に与えられることができ、これらペーパータオルの製造における従来型の接着剤であってよい。
【０００９】
層は、これら層が圧力下で複数の適当なプリントもしくはエンボス加工ローラーの間を通過中に接合されるときにこれら層を互いに接着させるポリビニールアセテートなどの物質を有する、例えばペーパータオルの少なくとも１つの層によって接着されることもできる。
【００１０】
本発明の範囲内のエンボス加工は、例えばＥＰＡ−０３７０９７２号によって公知のような、エンボスローラー間を層が通過する際にこれら層が凸部と凹部とを有する浮き彫りのようなエンボス加工を得るような層の動作として規定され、このエンボス加工のパターンは、これがペーパータオル上に認知され得る程度までこれら層を本発明で請求されているようなペーパータオル中に接着した後にも、また任意で個々の層が分離させた後にも、保持される。
【００１１】
本発明で請求されているようなペーパータオルは、少なくとも２つの層を有する。
【００１２】
これは、本発明で請求されているように好ましいが、ペーパータオルが３つの層を有する場合には、少なくとも２つの層にエンボス加工が成されていることが更に好ましい。
【００１３】
かくして、２層にされたペーパータオルでは、２つの層にエンボス加工が成されている。３層にされたペーパータオルでは、好ましくは２つの外側の層にエンボス加工が成されている。このように、最初に述べたものに非常に類似した視覚効果が、非常に効果的な方法で、ペーパータオルの両側において果たされ得る。
【００１４】
特に２層のペーパータオルの場合には、プリントは、層の、外側である一側面上に成され得る。層のこの外側の側面に、プリントは、これの最初の形状で表われている。第２の層にエンボス加工が成されている場合には、２つの層は、少なくとも部分的に透明で、ペーパータオルの第２の側面では、本発明で請求されているような視覚効果が果たされる。
【００１５】
プリントが、ペーパータオルの一側面、即ち、層の、もう一方の層に面した一側面の中に逆に配置されているときには、全ての層が少なくとも部分的に透明であると想定すると、プリント像は、両側面で、このプリントがエンボス加工された層もしくはエンボス加工されていない層かのどちらに施工されているかに更に応じて、本発明で請求されているような形状で表われる。
【００１６】
例えば３層にされたペーパータオルでは、中央の層の一側面のみにプリントすることが可能であり、前記層のプリントされた側面上に配置された外側の層のみが部分的に透明である必要を有し、従って、プリントは、層のこの側面にのみ表われる。もう一方で、中央の層ともう一方の外側の層とが部分的に透明である場合、プリントは、ペーパータオルの両側面に表われる。更に、また、中央の層の両側面に、同じか夫々異なったパターンでプリントすることが可能であり、このプリントは、ペーパータオルの各側面に表われる。問題となる必要はないが、中央の層が透明である場合は、２つのプリント像の所望の視覚的な重ね合わせが生じ得る。
【００１７】
本発明では、また、浸透させる方法で１つ以上の層に着色すること、即ち、（複数の）層が付加的なプリント像に関係なく着色されたベースの色調を有することが可能であり、色は、全体的な表面領域に渡って同じであるか、同じでない、例えば連続的にもしくは非連続的に続く（ｒｕｎ）ようにされ得る。
【００１８】
また、複数の層を互いに接合もしくは接着させるために、バインダーをプリント用のインクそのものにすることも可能である。これは、バインダーが（複数の）層のキャリアー材料への所定の接着性の能力（ｃａｐａｃｉｔｙ）を自然と有していることによる。インクの接着性の能力が複数の層の永久的な接合を確実にするために充分でない場合、例えば従来型の接着剤のような付加的なバインダーが、プリントインクに加えられ得る。これの量は、必要に応じて量は多くも少なくもできる。
【００１９】
しかし、好ましい実施形態に従って、バインダーは着色される。
【００２０】
この有色バインダーは、もう一方の着色された像をプリント像に重ねることを可能にする。有色バインダーによって生じるこの重ねられた付加的な像は、これがエンボス加工された層にプリントされているときには、バインダーが一般にエンボス加工の凸部のみに与えられ、凹部には有色バインダーが与えられないことから、エンボス加工のパターンに対応する。この実施形態では、本発明で請求されている最初に述べられた視覚効果が、更に変えられ得、非常に強くされ得る。これは、複数の層がバインダーによって互いに接着されているこれらの領域では、視覚的な重ね合わせもしくは色の強化が生じ、代わって残りの領域即ち隣の層と隣接していない凹部では、有色バインダーがないことと前記領域内のエンボス加工された層のプリント像からの距離とによって、プリント像を２層に視覚的に薄くすることが果たされていることによる。
【００２１】
付加的な構成の可能性が、プリント像の色もしくは強度と、夫々に異なっていてよい有色バインダーのこれらとによって与えられる。
【００２２】
また、任意もしくは不規則に様々に配されたバインダーの層の厚さによって、付加的な視覚効果を果たすことが可能である。また、例えばストリップ形状の領域のみにバインダーを与えることが可能であり、これによって、同様に付加的な視覚効果が果たされ得る。
【００２３】
プリント像と同様にエンボス加工のパターンに関連して、これらの向きと、例えば幾何学的もしくは柄のパターンなどのパターン自体との両方の多くの可能な変形例がある。また、エンボス加工のパターンを１つの層の異なる表面領域ごとに変えることが可能である。この場合、様々の層のうちの１つ以上の層がエンボス加工される。
【００２４】
【発明の実施の形態】
本発明の好ましい実施形態は、図面を参照して詳しく説明される。
【００２５】
図１は、中央の層２と第１の外側の層３と第２の外側の層４とから成る例えばナプキンのような３層のペーパータオル１の形態の、本発明の第１の実施形態を概略的に示す。中央の層２は、例えば図３、４に示され得るように、外側の層３に面した側面上に正方形もしくは長方形５のプリント像（ｉｍａｇｅ）を有する。両外側の層３、４は、プリントされておらず、リブ６のような形状のエンボス加工が成されている。これらリブ６は、凸部（ｅｌｅｖａｔｅｄ ａｒｅａ）７と凹部（ｒｅｃｅｓｓｅｄ ａｒｅａ）８とを有する。前記層２、３、及び４を互いに接合する前に、有色バインダー、例えば有色の接着剤９が、凸部７に与えられた。
【００２６】
外側の層３は、部分的に透明であり、かくして、中央の層２上のプリント５は、外側の層３を通して映えている（ｓｈｉｎｅ）。このプリントには、凸部７の前記領域（ａｒｅａ）内で有色の接着剤９が重ねられ、従って、プリント５とバインダー９との間の色の違いとバインダー９の透明度に応じて、プリント５の色もしくは見栄え（ａｐｐｅａｒａｎｃｅ）が変化する。
【００２７】
凹部８内にはバインダーが与えられておらず、かくして、プリント５は、変えられて見られないが、外側の層３の透明度と凹部８の中央の層２からの距離とによってぼんやり示されるか薄くされた状態で表われ得る。
【００２８】
図３、４は、１つのこのようなペーパータオルの外観を概略的に示す。図３では、プリントと接着剤とはほぼ同じ色を有し、逆に、図４では、プリント５と接着剤９とは夫々異なった色を有している。
【００２９】
図４によると、内側の層２と外側の層３とを重ね合わせることによって夫々に異なった見え方を与える基本的に４つの領域が形成されることが、説明されている。それらには、中央の層２にプリントが成されておらず、外側の層３が凸部７でバインダーによって着色されている領域１０がある。領域１１では、中央の層２にプリントが成されており、プリント５に突起部７の有色バインダー９が重ねられている。領域１２では、中央の層２が、着色されておらず、また、凹部８内の外側の層３は、バインダーにより着色されていない。最後に、領域１３では、中央の層２は、プリントが成されており、この層の上には、外側の層３のリブ６の凹部８が設けられている。
【００３０】
中央の層２と外側の層３、４との両方は、基礎色調（ｂａｓｅ ｓｈａｄｅ）とは異なる任意の色を有し、かくして、全体に着色され得る。これは、言うまでもなく外側の層３の中を見るために外側の層３の透明度がこの基礎色調によって不本意に低下されない必要があることによる。
【００３１】
プリント５とバインダー９との色は、互いに異なっていてよいが、また、見る人のために例えば領域１０、１３とがほぼ同じ色の強度（ｃｏｌｏｒ ｉｎｔｅｎｓｉｔｙ）を有し、領域１１、１２が幾分劇的に映えるように、互いにマッチされていてもよい。
【００３２】
図３に示された実施形態では、外側の層３の色と透明度とが、領域１０、１１、及び１３が見る人のために幾分同じ色調を有し、領域１２のみが視覚的に映えるように、互いにマッチされている。
【００３３】
例えば内側の層２だけでなく外側の層３も主として平たくされ、バインダー９が例えばストリップの形状で外側の層３に与えられている実施形態とは異なった、及び図面に容易に描写され得ない効果を凹部８が生じることは、強調されるべきである。凹部８の中央の層２からの距離と、リブ６の側壁１４とが、全体的な視覚的な印象を変え、例えば織られた材料に類似した影のような視覚効果を生じる。
【００３４】
図１では、もう一方の外側の層４が、下部に更に設けられ、有色バインダー９が凸部７に与えられている上側の層３に対応している。かくして、中央の層２が同様に部分的に透明であるときは、図１では下方にあたる第２の側面に、上方と類似した、いずれにせよプリント５の強度（ｉｎｔｅｎｓｉｔｙ）が幾分薄くされるような視覚効果が与えられる。これは、プリント５が層３に面した側面に成されているためである。言うまでもなく、同じか異なるプリントを、内側の層２の、プリント５とは反対側の側面に同様に成されることもまた可能である。更に、また、下方の外側の層４上に、外側の層３上のエンボス加工とは異なるパターン及び向きを有するエンボス加工を施すことが可能である。また、バインダー９は、異なった色を有していても良い。
【００３５】
図２は、ペーパータオルがエンボス加工された２つの外側の層３、４のみを有し、中央の層２を有していない本発明の実施形態を示す。上方の層の凸部７と凹部８との両方の上に、プリント５’が成されており、下方の層の凸部７の前記領域には、有色バインダー９が与えられている。層３、４に対する、向き及びパターンの両方において同じか異なるエンボス加工の適当な組合せ、及びプリント５とバインダー９の色との適当な組合せによって、ペーパータオルの前側面と後側面とで夫々異なるペーパータオルの魅力的な全体のパターンが、形成され得る。
【００３６】
図５は、本発明で請求されているペーパータオルの他の実施形態を示し、この実施形態では、エンボス加工されていない中央の層（例えば３層にされたペーパー製品における）か外側の層（例えば２層にされたペーパー製品における）であり得る１つの層２上の格子形のプリントが、例えばストリップ形状にエンボス加工された外側の層によって覆われ、更に、このエンボス加工された層上には、有色の接着剤がバインダーとして使用されている。図３、４に従って、完成した製品に形成された、夫々に異なる程度まで目に見える領域１０乃至１３が、図５に認められる（ｉｄｅｎｔｉｆｙ）。
【００３７】
ナプキンの形状の、図６に示されたペーパータオル１の部分（ｓｅｃｔｉｏｎ）は、基本的には図１に示されているように、３つの層２、３、４を互いの上に配置させることによって作り出されている。図７には、プリントされた中央の層２が示されており、この層は、線状に（ｉｎ ａ ｌｉｎｅ）エンボス加工され、図８に従って有色の接着剤が与えられた２つの外側の層３、４によって両側で覆われている。図６は、結果として、織物のような印象を全体に（ｏｖｅｒａｌｌ）与えるペーパータオル１が形成されていることを示す。これは、図６の描写によると、外側の層３、４の、この例ではリブ形状であるエンボス加工６と、このリブ６の結果的に生じた凸部、凹部８とによって実現される付加的な効果が、目立たないが、完成製品に特別な視覚効果を与えることが、更に付加されていることによる。
【００３８】
要約すれば、本発明で請求されているペーパータオルの好ましい一実施形態は、以下のように説明される。
【００３９】
例えば３つの層２、３、４を有するペーパータオル１では、２つの外側の層３、４にはエンボス加工６が成され、内側の層２にはプリント５が成される。層２、３、４は、少なくとも部分的に透明であり、バインダー９のような有色の接着剤によって互いに接着されている。
【図面の簡単な説明】
【図１】
図１は、三層のナプキンの実施形態の概略的な一断面を示す。
【図２】
図２は、本発明で請求されている二層のナプキンの概略的な断面を示す。
【図３】
図３は、本発明で請求されているように形成され得るパターンの従来の例を示す。
【図４】
図４は、本発明で請求されているように形成され得るパターンの従来の例を示す。
【図５】
図５は、本発明で請求されているナプキンの１つの拡大図を示す。
【図６】
図６は、図７に示されるようなナプキンのプリントされた層と、図８に示されるような有色接着剤を有するエンボス加工が成された層とから成る、本発明で請求されているようなナプキンを示す。
【図７】
図７は、ナプキンのプリントされた層を示す。
【図８】
図８は、有色接着剤を有するエンボス加工が成された層を示す。
【図１】
2004521723.tif 000003
【図２】
2004521723.tif 000004
【図３】
2004521723.tif 000005
【図４】
2004521723.tif 000006
【図５】
2004521723.tif 000007
【図６】
2004521723.tif 000008
【図７】
2004521723.tif 000009
【図８】
2004521723.tif 000010
【国際公開パンフレット】
2004521723.tif 000011
2004521723.tif 000012
2004521723.tif 000013
2004521723.tif 000014
2004521723.tif 000015
2004521723.tif 000016
2004521723.tif 000017
2004521723.tif 000018
2004521723.tif 000019
2004521723.tif 000020
2004521723.tif 000021
2004521723.tif 000022
2004521723.tif 000023
2004521723.tif 000024
2004521723.tif 000025
2004521723.tif 000026
2004521723.tif 000027
2004521723.tif 000028
2004521723.tif 000029
2004521723.tif 000030
2004521723.tif 000031
2004521723.tif 000032
2004521723.tif 000033
2004521723.tif 000034
2004521723.tif 000035
2004521723.tif 000036
【国際調査報告】
2004521723.tif 000037
2004521723.tif 000038
2004521723.tif 000039
2004521723.tif 000040
2004521723.tif 000041
2004521723.tif 000042